(57)【要約】      （修正有）【課題】無線通信モジュール動作時にファインダ像が歪むことなく、且つ、外装部材が局所的に温度上昇することのない撮像装置を提供する。【解決手段】第１の発熱源である撮像手段９と、第２の発熱源である主基板１２０と、第３の発熱源である無線通信手段６０と、第１の本体構造部材６０１が配置された撮像装置において、第１の熱伝達部材６０３は、撮像手段に対して無線通信手段側で第１の本体構造部材と背面側で接続され、第２の熱伝達部材６０４は、撮像手段に対して主基板の中央演算処理装置および記録媒体側で第１の本体構造部材と背面側で接続され、第３の熱伝達部材６０５は、撮像手段に対して無線通信手段側で、異なる２つの経路で第２の本体構造部材６０２と接続される。【選択図】図１（ａ）
2015204580.tif 000002
【特許請求の範囲】
【請求項１】
被写体像を電気信号に変換する第１の発熱源である撮像手段（９）と、
前記電気信号を処理する中央演算処理装置（６８）と記録媒体（５９）がグリップ側に実装された第２の発熱源である主基板（１２０）と、
前記撮像手段に対して、前記中央演算処理装置および前記記録媒体と対角位置に配置された第３の発熱源である無線通信手段（６０）と、
少なくとも一部が金属部材で構成された第１の本体構造部材（６０１）と、
撮影光軸方向に背面側から前記主基板、前記撮像手段、前記第１の本体構造部材、前記無線通信手段の順に平行に配置された撮像装置において、
前記撮像手段に接続された第１の熱伝達部材（６０３）と、
前記主基板の前面側に配置された第２の熱伝達部材（６０４）と、
前記無線通信手段に接続された第３の熱伝達部材（６０５）と、
前記第１の本体構造部材の底面に配置された金属製の第２の本体構造部材（６０２）とを有し、
前記第１の熱伝達部材は、前記撮像手段に対して前記無線通信手段側で前記第１の本体構造部材と背面側で接続され、
前記第２の熱伝達部材は、前記撮像手段に対して前記主基板の中央演算処理装置および記録媒体側で前記第１の本体構造部材と背面側で接続され、
前記第３の熱伝達部材は、前記撮像手段に対して前記無線通信手段側で、異なる２つの経路で前記第２の本体構造部材と接続されることを特徴とする撮像装置。
【請求項２】
前記第２の本体構造部材には三脚座が形成され、前記第２の熱伝達部材は、前記第１の本体構造部材との接続部からさらに延長され、前記三脚座よりも背面側で且つ前記撮像手段に対して前記主基板の前記中央演算処理装置および前記記録媒体側で、前記第２の本体構造部材と接続されることを特徴とする請求項１に記載の撮像装置。
【請求項３】
前記第２の本体構造部材には三脚座が形成され、前記第３の熱伝達部材は、前記三脚座よりも前面側で前記第２の本体構造部材と接続されることを特徴とする請求項１又は請求項２に記載の撮像装置。
【請求項４】
前記撮像装置はさらに、前記第１の本体構造部材に配設された電池収納部を挟んで前記主基板の前記中央演算処理装置および前記記録媒体とは反対側に配置された第４の発熱源である電源基板（１２２）と、前記電源基板の背面側に配置された第４の熱伝達部材（６０６）とを有し、前記第４の熱伝達部材は、前記三脚座よりも前面側で且つ前記撮像手段に対して前記中央演算処理装置および前記記録媒体側で、前記第２の本体構造部材と接続されることを特徴とする請求項１乃至請求項３の何れか一項に記載の撮像装置。
【請求項５】
前記撮像装置はさらに、撮影レンズによって結像された被写体像が投影されるフォーカシングスクリーン（１１０）と、接眼レンズ群（１１２）と、前記フォーカシングスクリーンからの光束を前記接眼レンズ群へ導くための光学部材（１１１）と、で構成される光学ファインダを有し、前記光学部材の少なくとも一部が樹脂製であることを特徴とする請求項１乃至請求項４の何れか一項に記載の撮像装置。
【請求項６】
前記無線通信手段は、前記光学部材よりも下面側に配置されていることを特徴とする請求項１乃至請求項５の何れか一項に記載の撮像装置。
【発明の詳細な説明】
【技術分野】
【０００１】
本発明は、無線通信が可能な撮像装置に関し、特に無線通信モジュール使用時の発熱に対応する構造を有する撮像装置に関する。
【背景技術】
【０００２】
近年、外部機器との無線通信機能を有する撮像装置が提案されている。このような撮像装置においては、無線通信モジュールを撮像装置の上方側に配置した構造が提案されている。
【０００３】
特許文献１で開示された撮像装置では、撮影光束をファインダ接眼窓に導くためのペンタプリズムのダハ面と外装部材の間に無線通信モジュールを配置した構造となっている。これにより、無線通信機能を確保しつつ、無線通信性能が低下することを防いでいる。
【先行技術文献】
【特許文献】
【０００４】
【特許文献１】特開２０１３−１０５０１２号公報
【発明の概要】
【発明が解決しようとする課題】
【０００５】
高い無線通信性能を確保するには、大きな電力消費で無線通信モジュールを動作させる必要があり、その結果、無線通信モジュールは大きな発熱源となる。特許文献１に開示された撮像装置では、無線通信モジュールの近傍にファインダユニットが配置された構造のため、ペンタプリズムや接眼レンズ等の光学部材が無線通信モジュールからの熱を受けて歪むことで、ファインダ像が歪んでしまうことがあった。また、無線通信モジュールの近傍に外装部材が配置された構造のため、ユーザが直接触れることが可能な外装部材が局所的に温度上昇してしまうことがあり、そのための対策部品である金属等を新たに配置する必要があった。
【０００６】
本発明は、上記問題に鑑み、無線通信モジュール動作時にファインダ像が歪むことなく、且つ、外装部材が局所的に温度上昇することのない撮像装置を提供することを目的とする。
【課題を解決するための手段】
【０００７】
上記課題を解決するための請求項１に記載の撮像装置は、
被写体像を電気信号に変換する第１の発熱源である撮像手段（９）と、
前記電気信号を処理する中央演算処理装置（６８）と記録媒体（５９）がグリップ側に実装された第２の発熱源である主基板（１２０）と、
前記撮像手段に対して、前記中央演算処理装置および前記記録媒体と略対角位置に配置された第３の発熱源である無線通信手段（６０）と、
少なくとも一部が金属部材で構成された第１の本体構造部材（６０１）と、
撮影光軸方向に背面側から前記主基板、前記撮像手段、前記第１の本体構造部材、前記無線通信手段の順に略平行に配置された撮像装置において、
前記撮像手段に接続された第１の熱伝達部材（６０３）と、
前記主基板の前面側に配置された第２の熱伝達部材（６０４）と、
前記無線通信手段に接続された第３の熱伝達部材（６０５）と、
前記第１の本体構造部材の底面に配置された金属製の第２の本体構造部材（６０２）とを有し、
前記第１の熱伝達部材は、前記撮像手段に対して前記無線通信手段側で前記第１の本体構造部材と背面側で接続され、
前記第２の熱伝達部材は、前記撮像手段に対して前記主基板の中央演算処理装置および記録媒体側で前記第１の本体構造部材と背面側で接続され、
前記第３の熱伝達部材は、前記撮像手段に対して前記無線通信手段側で、異なる２つの経路で前記第２の本体構造部材と接続されることを特徴とする。
【発明の効果】
【０００８】
上述の請求項１に記載の本発明によれば、無線通信モジュール動作時にファインダ像が歪むことなく、且つ、外装部材が局所的に温度上昇することのない撮像装置を提供することができる。
【図面の簡単な説明】
【０００９】
【図１（ａ）】本実施の形態に係るカメラの本体ユニットの構成を示す展開斜視図
【図１（ｂ）】本実施の形態に係るカメラの本体ユニットの構成を示す展開斜視図
【図１（ｃ）】本実施の形態に係るカメラの本体ユニットの構成を示す展開斜視図
【図１（ｄ）】本実施の形態に係るカメラの本体ユニットの構成を示す展開斜視図
【図２（ａ）】本実施の形態に係るカメラおよびレンズの正面斜視図
【図２（ｂ）】本実施の形態に係るカメラおよびレンズの背面斜視図
【図２（ｃ）】本実施の形態に係るカメラの中央断面図
【図３】本実施の形態に係るカメラの制御系の構成を示すブロック図
【図４】本実施の形態に係るカメラおよびレンズの展開斜視図
【図５（ａ）】本実施の形態に係るカメラの本体ユニットの構成を示す正面斜視図
【図５（ｂ）】本実施の形態に係るカメラの本体ユニットの構成を示す背面斜視図
【図６（ａ）】本実施の形態に係るカメラの本体部品の正面斜視図
【図６（ｂ）】本実施の形態に係るカメラの本体部品の背面斜視図
【発明を実施するための形態】
【００１０】
以下、添付図面を参照して本発明を実施するための好ましい形態を詳細に説明する。図２（ａ）および図２（ｂ）は、本発明の実施形態に係わるデジタル一眼レフカメラ本体および撮影レンズ本体の正面および背面斜視図、図２ｃは中央断面図である。なお、本実施の形態のカメラはＣＣＤ（Ｃｈａｒｇｅ−Ｃｏｕｐｌｅｄ  Ｄｅｖｉｃｅｓ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子により被写体像を光電変換して画像情報を生成し、任意のメモリ等の電子的記録媒体にその画像情報を記録するデジタルカメラである。
【００１１】
１０１はカメラ本体、２０１はカメラ本体に着脱可能な撮影レンズ本体、１はカメラ本体１０１から撮影レンズ２０１を取り外すためのレンズ取り外しボタンである。
【００１２】
２は、撮影を指示するための二段スイッチとなっているレリーズボタンである。このレリーズボタンを１段目まで軽く押下し、第１スイッチがオンの状態を「半押し」といい（ＳＷ１）、この状態で測光およびＡＦ（自動焦点調節）が行われる。半押しからさらに二段目まで押下し、第２スイッチがオンの状態を「全押し」といい（ＳＷ２）、全押しすることで撮影が行われる。３は撮影条件や無線通信機能などの様々な設定を行うためのメニューボタンであり、４は撮影画像の確認や選択、メニュー機能の選択・設定等に使用する画像表示部である。また、カメラ本体１０１の背面側上方には接眼レンズ１１２等で構成されるファインダ接眼窓が設けられている。
【００１３】
カメラ本体１０１に対して着脱可能な撮影レンズ本体２０１は、カメラ側のマウント部１０２と撮影レンズ側のマウント部２０２によって固定される。撮影レンズ本体２０１が装着されると、カメラ本体１０１の接点部１０３と撮影レンズ本体２０１の接点部２０３が接触する。これにより電気的な接続がなされ、カメラ本体１０１は撮影レンズ本体２０１が装着されたことを検知する。さらに、この接点部１０３および２０３を介してカメラ本体１０１から撮影レンズ本体２０１へ電力の供給や撮影レンズ本体２０１を制御するための通信を行う。
【００１４】
撮影レンズ本体２０１のレンズ群２０４を透過した光束は、カメラ本体１０１の主ミラー６に入射する。この主ミラー６はハーフミラーとなっており、この主ミラー６により反射された光束はファインダへと導かれる。また、この主ミラー６を透過した光束は、サブミラー１０５により下方へ反射され、焦点検出ユニット１０６へと導かれる。この焦点検出ユニット１０６により、レンズ群２０４のデフォーカス量を検出し、レンズ群２０４により合焦状態となるようにレンズ群２０４を移動するためのレンズ駆動量を演算する。そして、その演算したレンズ駆動量を接点部１０３および２０３を介して撮影レンズ本体２０１へ送出すると、撮影レンズ本体２０１は不図示のレンズ側モータを制御して、レンズ群２０４の一部であるフォーカスレンズを移動させて焦点調節を行う。
【００１５】
主ミラー６は主ミラー保持部材７に固着され、サブミラー１０５はサブミラー保持部材１０９に固着されている。主ミラー６、主ミラー保持部材７、サブミラー１０５、サブミラー保持部材１０９でミラーユニット１０が構成されている。
【００１６】
主ミラー６は、撮影光路内に進入した位置で光束をファインダへと導き、光束がピント板１１０へと入射して被写体像を結像する。撮影者はペンタミラー１１１及び接眼レンズ１１２を介してこのピント板１１０上の被写体像を観察するように構成されている。サブミラー１０５の後方にはフォーカルプレンシャッタ５が配置されている。フォーカルプレンシャッタ５の後方には、光学ローパスフィルタ１１４が配置されている。この光学ローパスフィルタ１１４の後方には、撮像素子ホルダー１１５によって保持された撮像素子１１６と、撮像素子１１６を保護するカバー部材１１７が配置されている。
【００１７】
１１８は光学ローパスフィルタ１１４を保持すると共に、光学ローパスフィルタ１１４とカバー部材１１７の間を密閉するための保持部材である。撮像素子ホルダー１１５の後方には撮像基板１１９が配置され、撮像素子１１６からのアナログの画像信号をデジタルの画像データに変換するためのＡ／Ｄ変換部５０を含む。光学ローパスフィルタ１１４、撮像素子ホルダー１１５、撮像素子１１６、保護するカバー部材１１７、保持部材１１８、撮像基板１１９で撮像ユニット９が構成されている。
【００１８】
主ミラー６を含むミラーユニット１０は、撮影時に撮影光路外の位置に退避し、光学ローパスフィルタ１１４、カバー部材１１７を透過した光束が、撮像素子１１６へと入射するように構成されている。
【００１９】
撮像ユニット９の後方には主基板１２０が配置され、撮像基板１１９と主基板１２０が後述する撮像接続基板１２１で接続されている。主基板１２０には、後述するタイミング発生回路５１、メモリ制御部５２、システム制御部５３、画像処理部５４、画像表示メモリ５５、表示制御部５６、メモリ５７、圧縮伸長部５８、記録媒体５９等を構成するための様々な部品が実装され、カメラ本体１０１全体の動作制御を司る。
【００２０】
次に、カメラの制御系の構成を示したブロック図を図３に示す。２０１は撮影レンズ本体であり、２０４はレンズ群、２０５は絞り、５はフォーカルプレンシャッタ、１１６は光学画像を電気信号に変換する撮像素子、５０はＡ／Ｄ変換部である。また、５１は撮像素子１１６、Ａ／Ｄ変換部５０にクロック信号や制御信号を供給するタイミング発生回路であり、メモリ制御部５２及びシステム制御部５３により制御されている。
５４は画像処理部であり、Ａ／Ｄ変換部５０あるいはメモリ制御部５２からの画像データに対して画素補間処理や色変換処理等の所定の画像処理を行う。
【００２１】
メモリ制御部５２は、Ａ／Ｄ変換部５０、タイミング発生回路５１、画像処理部５４、画像表示メモリ５５、表示制御部５６、メモリ５７、圧縮伸長部５８を制御する。Ａ／Ｄ変換部５０から出力される画像データは、画像処理部５４、メモリ制御部５２を介して、あるいはＡ／Ｄ変換部５０のデータが直接メモリ制御部５２を介して、画像表示メモリ５５あるいはメモリ５７に書き込まれる。
【００２２】
５７は撮影した画像を格納するためのメモリであり、所定枚数の画像を格納するのに十分な記憶量を備えている。５８はメモリ５７から読み出した画像データを所定の画像圧縮方法（例えば、適用離散コサイン変換など）に従って画像データを圧縮・伸長する圧縮伸長部であり、メモリ５７に格納された画像を読み込んで圧縮処理あるいは伸長処理を行い、処理を終えた画像データをメモリ５７に書き込む。処理を終えた画像データは更に、着脱可能な記録媒体５９に記録される。この記録媒体５９は、フラッシュメモリ等の不揮発性メモリによって構成されている。また、記録媒体５９から画像データをメモリ５７に読み出し、画像処理部５４やメモリ制御部５２を介して画像表示メモリ５５に画像データを書き込む処理をし、表示制御部５６により画像表示部４に表示する場合にも使用される。
【００２３】
６１は主ミラー６を含むミラーユニット１０を制御するミラー制御部、６２はフォーカルプレンシャッタ５を制御するシャッタ制御部、６３は絞り２０５を制御する絞り制御部、６４は撮影レンズ本体２０１のフォーカシングを制御する測距制御部である。６５は無線通信モジュール６０を制御する無線通信制御部であり、画像処理部５４で処理されたリアルタイムの画像データや記録媒体５９に記録された画像データを外部機器に無線送信する制御を実施する。
【００２４】
５３はカメラ本体１０１を制御するシステム制御部である。システム制御部５３は、メモリ６６に格納されたプログラムを実行する。
【００２５】
６６はシステム制御部５３の動作用の定数、変数、プログラムなどを記憶するメモリであり、撮影に伴う処理に関する各種プログラムが記録されている。
【００２６】
６７は電源制御部で、電源検出回路、ＤＣ−ＤＣコンバータ、電力を供給する回路ブロックを切換えるスイッチ回路等により構成されており、電源部の装着の有無、電源の種類、電池残量の検出等を行い、検出結果及びシステム制御部５３の指示に基づいてＤＣ−ＤＣコンバータを制御し、必要な電圧を必要な期間、各部へ電力を供給する。
【００２７】
図４は、図２のカメラ本体１０１および撮影レンズ本体２０１の内部構成を示す展開斜視図である。図４において、カメラ本体１０１は前カバーユニット３００と、後カバーユニット４００、上カバーユニット５００、本体ユニット６００で構成される。前カバーユニット３００には、レンズ取り外しボタン１、電池蓋等が配設されている。後カバーユニット４００には、メニューボタン３を含む各種操作ボタン、ＬＣＤ等の画像表示部４等が配置されている。上カバーユニット５００には、レリーズボタン２、不図示の内蔵ストロボ等が配置されている。
【００２８】
図５（ａ）、図５（ｂ）は、それぞれ図４における本体ユニット６００の構成を示す正面斜視図、背面斜視図である。図１（ａ）、図１（ｂ）、図１（ｃ）、図１（ｄ）は、それぞれ図５における本体ユニット６００の構成を示す展開斜視図である。図６（ａ）、図６（ｂ）は本体６０１の正面斜視図、背面斜視図である。
【００２９】
図５（ａ）、図５（ｂ）、図１において、８はミラーユニット１０を保持するミラーボックスであり、マウント部８ａで撮影レンズ本体２０１を保持する。
【００３０】
ミラーボックス８の上方には、ファインダユニットがビスによってミラーボックス８に取り付けられている。ファインダユニットを構成する光学部材であるペンタミラー１１１は、反射面の一部もしくは全てが樹脂によって成形された部材である。
【００３１】
ミラーボックス８の後方には、フォーカルプレンシャッタ５がビスによってミラーボックス８に取り付けられている。
【００３２】
フォーカルプレンシャッタ５の後方には、本体（第１の本体構造部材）６０１がビスによってミラーボックス８に取りつけられている。本体６０１は、図６（ａ）、図６（ｂ）に示すように、撮像ユニット９の一部である撮像素子ホルダー１１５と撮影光軸方向で同位置になる部分に開口部６０１ａが形成された金属部材が挿入された樹脂製の部材である。この金属部材は、アルミニウム系、ステンレス系、鉄系、銅系などの材料で形成されている。本体６０１に挿入された金属部材は、金属露出部６０１ｂ（斜線部）が形成され、後述する金属製の各熱伝達部材と接続される。なお、図６（ｂ）において露出部６０１ｂが２つの領域に分かれているが、金属部材は本体６０１の樹脂内部で繋がった１部品の構成である。
【００３３】
本体６０１の後方には、撮像素子１１６を含む撮像ユニット９がビスによってミラーボックス８に取り付けられている。撮像ユニット９の撮像基板１１９と主基板１２０は、撮像接続基板１２１で接続されている。撮像ユニット９を構成する撮像素子１１６および撮像基板１１９は、アナログの画像信号をデジタルの画像データに変換する処理を行う際、大きな発熱源（第１の発熱源）となる。
【００３４】
撮像ユニット９の後方には、主基板１２０がビスによって本体６０１に取りつけられている。主基板１２０は、撮像ユニット９の一部である撮像基板１１９と撮影光軸方向で略同位置になる部分１２０ａを切欠いたコの字形状の部材である。主基板１２０のカメラ本体１０１のグリップ側には、前面側に記録媒体５９が実装され、背面側に画像処理部５４を含む前述した様々な処理部を有するＣＰＵ（中央演算処理装置）６８が実装されている。主基板１２０のグリップ側の領域は、記録媒体５９に画像データを書き込む処理もしくは記録媒体５９から画像データ読み出す処理を行う際、更にはＣＰＵ（中央演算処理装置）６８が様々な画像処理を行う際、大きな発熱源（第２の発熱源）となる。
【００３５】
ミラーボックス８のカメラ本体１０１のグリップ逆側、詳細には撮像ユニット９に対して、主基板１２０のＣＰＵ（中央演算処理装置）６８および記録媒体５９と略対角位置には、無線モジュール６０が配置されている。無線モジュール６０は、ファインダユニットを構成する光学部材であるペンタミラー１１１よりも下面側に配置されている。無線モジュール６０と主基板１２０は、複数の無線接続基板１２３で接続されている。
【００３６】
無線通信モジュール６０は、画像データを外部機器に無線送信する制御を行う際、大きな発熱源（第３の発熱源）となる。
【００３７】
以上説明したように、撮影光軸方向にカメラ本体１０１背面側から主基板１２０、撮像ユニット９、本体６０１、無線モジュール６０が順に略平行（光軸に対して略直角）に配置されている。
【００３８】
本体６０１のグリップ側には、電池収納部６０１ｂが形成されている。電池収納部６０１ｂの前面側（主基板１２０とは反対側）には、電源制御部６７を構成するための様々な部品が実装された電源基板１２２がビスによって本体６０１に取りつけられている。電源基板１２２は、電源接続基板によって主基板１２０と接続されている。電源基板１２２は、カメラ本体１０１が撮像動作を行う際、大きな発熱源（第４の発熱源）となる。
【００３９】
ミラーボックス８の下方には、金属製のボトムプレート（第２の本体構造部材）６０２がビスによってミラーボックス８および本体６０１に取り付けられている。ボトムプレート６０２の略中央部には、三脚座ネジ部６０２ａがボトムプレート６０２に一体形成されている。
【００４０】
次に、前述した各発熱源からの熱をカメラ本体１０１内部で拡散させるための、各熱伝達部材と接続方法について説明する。
【００４１】
６０３は、撮像ユニット９において発生した熱をカメラ本体１０１内部に拡散するための金属製の撮像熱伝達部材（第１の熱伝達部材）である。撮像熱伝達部材６０３は、撮像ユニット９に対して無線モジュール６０側で、撮像ユニット９の撮像基板１１９と接続し、本体６０１に挿入された金属部材と本体６０１の背面側で接続している。また、撮像熱伝達部材６０３の本体６０１との接続部は中間接続部材６０７を挟む形で接続されており、中間接続部材６０７は、三脚座ネジ部６０２ａよりもカメラ本体１０１背面側で、且つ撮像ユニット９に対して無線モジュール６０側で、ボトムプレート６０２と接続している。これにより、撮像ユニット９で発生した熱を本体６０１、更にはボトムプレート６０２に伝達することができる。
【００４２】
６０４は、主基板１２０の記録媒体５９およびＣＰＵ（中央演算処理装置）６８において発生した熱をカメラ本体１０１内部に拡散するための金属製の主基板熱伝達部材（第２の熱伝達部材）である。主基板熱伝達部材６０４は、主基板１２０の記録媒体５９およびＣＰＵ（中央演算処理装置）６８の前面側に配置され、主基板１２０と共に本体６０１にビスによって取り付けられている。
【００４３】
主基板熱伝達部材６０４は、撮像ユニット９に対して主基板１２０の記録媒体５９およびＣＰＵ（中央演算処理装置）６８が実装された側で、本体６０１に挿入された金属部材と本体６０１の背面側で接続している（接続部６０４ａ）。主基板熱伝達部材６０４は、接続部６０４ａからさらに延長され、三脚座ネジ部６０２ａよりもカメラ本体１０１背面側で、且つ撮像ユニット９に対して主基板１２０の記録媒体５９およびＣＰＵ（中央演算処理装置）６８が実装された側で、ボトムプレート６０２と接続している（接続部６０４ｂ）。これにより、主基板１２０のグリップ側で発生した熱を本体６０１、更にはボトムプレート６０２に伝達することができる。
【００４４】
６０５は、無線モジュール６０において発生した熱をカメラ本体１０１内部に拡散するための金属製の無線熱伝達部材（第３の熱伝達部材）である。また、無線熱伝達部材６０５は、無線モジュールを保持する機能を併せ持ち、接続部６０５ａで本体６０１に、接続部６０５ｂでミラーボックス８にビスによって取り付けられている。
【００４５】
無線熱伝達部材６０５の接続部６０５ａは金属製の中間接続部材６０８と、接続部６０５ｂは金属製の中間接続部材６０９と各々接続され、三脚座ネジ部６０２ａよりもカメラ本体１０１前面側で、且つ撮像ユニット９に対して無線モジュール６０側で、ボトムプレート６０２と２か所で接続している（接続部６０８ａ、接続部６０９ａ）。これにより、無線モジュール６０で発生した熱をボトムプレート６０２に伝達することが出来る。
【００４６】
６０６は、電源基板１２２で発生した熱をカメラ本体１０１内部に拡散するための金属製の電源熱伝達部材（第４の熱伝達部材）である。電源熱伝達部材６０６は、電源基板１２２の背面側に配置され、電源基板１２２と共に本体６０１にビスによって取り付けられている。電源熱伝達部材６０６は、三脚座ネジ部６０２ａよりもカメラ本体１０１前面側で、且つ撮像ユニット９に対して主基板１２０の記録媒体５９およびＣＰＵ（中央演算処理装置）６８が実装された側で、ボトムプレート６０２と接続している（接続部６０６ａ）。これにより、電源基板１２２で発生した熱をボトムプレート６０２に伝達することが出来る。
【００４７】
以上説明した本発明の構成により、撮像ユニット９、主基板１２０、無線モジュール６０、電源基板１２２で発生した熱を、本体６０１に挿入された金属部材とボトムプレート６０２の各部分に分散して伝えることで、ファインダユニットよりも下面側でカメラ本体１０１内部が局所的に温度上昇することを防ぐことが可能になる。つまり、無線通信モジュール動作時にファインダ像が歪むことなく、且つ、外装部材が局所的に温度上昇することのない撮像装置を提供することが可能となる。
【００４８】
以上、本発明の好ましい実施形態について説明したが、本発明はこれらの実施形態に限定されず、その要旨の範囲内で種々の変形及び変更が可能である。
【符号の説明】
【００４９】
１  レンズ取り外しボタン、２  レリーズボタン、３  メニューボタン、
４  画像表示部、５  フォーカルプレンシャッタ、６  主ミラー、
７  主ミラー保持部材、８  ミラーボックス、９  撮像ユニット、
１０  ミラーユニット、５０  Ａ／Ｄ変換部、５１  タイミング発生回路、
５２  メモリ制御部、５３  システム制御部、５４  画像処理部、
５５  画像表示メモリ、５６  表示制御部、５７  メモリ、５８  圧縮伸長部、
５９  記録媒体、６０  無線通信モジュール、６１  ミラー制御部、
６２  シャッタ制御部、６３  絞り制御部、６４  測距制御部、６５  無線通信制御部、
６６  メモリ、６７  電源制御部、６８  ＣＰＵ（中央演算処理装置）、
１０１  カメラ本体、１０２  カメラ側マウント部、１０３  カメラ本体側接点部、
１０５  サブミラー、１０６  焦点検出ユニット、１０９  サブミラー保持部材、
１１０  ピント板、１１１  ペンタミラー、１１２  接眼レンズ、
１１４  光学ローパスフィルタ、１１５  撮像素子ホルダー、１１６  撮像素子、
１１７  カバー部材、１１８  保持部材、１１９  撮像基板、１２０  主基板、
１２１  撮像接続基板、１２２  電源基板、１２３  無線接続基板、
２０１  撮影レンズ本体、２０２  撮影レンズ側マウント部、
２０３  撮影レンズ本体側接点部、２０４  レンズ群、２０５  絞り、
３００  前カバーユニット、４００  後カバーユニット、５００  上カバーユニット、
６００  本体ユニット、６０１  本体（第１の本体構造部材）、６０２  ボトムプレート（第２の本体構造部材）、６０３  撮像熱伝達部材（第１の熱伝達部材）、
６０４  主基板熱伝達部材（第２の熱伝達部材）、
６０５  無線熱伝達部材（第３の熱伝達部材）、
６０６  電源熱伝達部材（第４の熱伝達部材）、６０７〜６０９  中間接続部材
【図１（ａ）】
2015204580.tif 000003
【図１（ｂ）】
2015204580.tif 000004
【図１（ｃ）】
2015204580.tif 000005
【図１（ｄ）】
2015204580.tif 000006
【図２（ａ）】
2015204580.tif 000007
【図２（ｂ）】
2015204580.tif 000008
【図２（ｃ）】
2015204580.tif 000009
【図３】
2015204580.tif 000010
【図４】
2015204580.tif 000011
【図５（ａ）】
2015204580.tif 000012
【図５（ｂ）】
2015204580.tif 000013
【図６（ａ）】
2015204580.tif 000014
【図６（ｂ）】
2015204580.tif 000015